(57)【特許請求の範囲】
【請求項１】
バッテリポストの周りを囲む有端略環状の電極保持部および該電極保持部の両端からそれぞれ延出した一対の締付部を有するターミナル本体と、前記一対の締付部の間に挿入されるボルトと、該ボルトと螺合可能なナットと、を備え、螺合状態での前記ナットに対する前記ボルトの進退移動によって、前記一対の締付部を接近、離間させる締付部開閉構造を備えるバッテリターミナルにおいて、
前記締付部開閉構造は、
前記締付部と前記ナットとのそれぞれにおいて互いに対向する部分に形成されており、前記ボルトの進退移動の際に互いに当接状態を保つ締付部側当接部およびナット側当接部からなり、
前記締付部側当接部および前記ナット側当接部は、
前記ボルトの進移動によって前記一対の締付部を接近方向に移動させ、前記ボルトの退移動によって前記一対の締付部を離間方向に移動させる形状を備え、
前記ナット側当接部は、前記ナットの両側からテーパ状に広がる内面および外面を有し、
前記締付部側当接部は、前記ナット側当接部の前記内面と摺接可能な締付片と、前記ナット側当接部の前記外面と摺接可能な離隔片と、を有することを特徴とするバッテリターミナル。
【請求項２】
前記ボルトは、前記一対の締付部の間で軸中心に回転可能となるように前記ターミナル本体に取付けられることを特徴とする請求項１に記載のバッテリターミナル。
【請求項３】
前記ナットは、前記電極保持部の軸方向となる上下方向において前記一対の締付部の下方に配置され、
前記一対の締付部は、互いに対向する一対のボルト当接部を有し、
前記締付片は、前記一対のボルト当接部の対向内側端から下方へ突出し、
前記離隔片は、前記一対のボルト当接部の対向外側端から下方へ突出することを特徴とする請求項１または２に記載のバッテリターミナル。
【発明の詳細な説明】
【技術分野】
【０００１】
本発明は、バッテリターミナル、特に、バッテリポストの周りを囲む電極保持部を縮径および拡径する締付部開閉構造を備えるバッテリターミナルに関する。
【背景技術】
【０００２】
従来、バッテリポストの周りを囲む有端略環状の電極保持部および該電極保持部の両端から突出する一対の締付部を備えたターミナル本体と、ボルト（第１締結具）と、ナット（第２締結具）と、を備え、ボルトおよびナットを用いて一対の締付部を接近させて電極保持部を縮径させるバッテリターミナルが知られている。
【０００３】
例えば、特許文献１には、電極保持部および一対の締付部を備えたターミナル本体と、ボルトと、ナットと、を備え、さらに、ボルトとナットの間に、これらとは別体の締付部材を備えたバッテリターミナルが記載されている。
【０００４】
特許文献１に記載されたバッテリターミナルでは、ボルトとナットとの間に、別途、締付部材を介在させることにより、ボルトを締付けた場合には、一対の締付部を接近させ、ボルトを緩めた場合には、一対の締付部を離間させることができる。
【先行技術文献】
【特許文献】
【０００５】
【特許文献１】実用新案登録第２５９３２８３号公報
【発明の概要】
【発明が解決しようとする課題】
【０００６】
しかし、特許文献１に記載されたバッテリターミナルでは、電極保持部の縮径に際し、締付部材を別途用いる必要があるため、部品点数が増加してしまい、取付け作業が煩雑になるという問題があった。
【０００７】
本発明は、上記課題に鑑みてなされたものであって、部品点数を増加することなく、電極保持部を縮径および拡径することができるバッテリターミナルを提供することを目的とする。
【課題を解決するための手段】
【００１０】
上記目的を達成するために、本発明に係るバッテリターミナルは、バッテリポストの周りを囲む有端略環状の電極保持部および該電極保持部の両端からそれぞれ延出した一対の締付部を有するターミナル本体と、前記一対の締付部の間に挿入されるボルトと、該ボルトと螺合可能なナットと、を備え、螺合状態での前記ナットに対する前記ボルトの進退移動によって、前記一対の締付部を接近、離間させる締付部開閉構造を備えるバッテリターミナルにおいて、前記締付部開閉構造は、前記締付部と前記ナットとのそれぞれにおいて互いに対向する部分に形成されており、前記ボルトの進退移動の際に互いに当接状態を保つ締付部側当接部およびナット側当接部からなり、前記締付部側当接部および前記ナット側当接部は、前記ボルトの進移動によって前記一対の締付部を接近方向に移動させ、前記ボルトの退移動によって前記一対の締付部を離間方向に移動させる形状を備え、前記ナット側当接部は、前記ナットの両側からテーパ状に広がる内面および外面を有し、前記締付部側当接部は、前記ナット側当接部の前記内面と摺接可能な締付片と、前記ナット側当接部の前記外面と摺接可能な離隔片と、を有することを特徴とする。
【００１１】
これによると、締付部開閉構造によって、一対の締付部を互いに接近させて電極保持部を強制的に縮径させることができるとともに、一対の締付部を互いに離間させて電極保持部を強制的に拡径させることができる。また、締付部開閉構造は、締付部とナットとの互いに対向する部分にそれぞれ形成されているため、部品点数が少なく、取付け作業が容易である。さらに、締結具として汎用性の高いボルトを用いることで、コストを低減することができる。
【００１２】
また、ボルトは、一対の締付部の間に挿入され、電極保持部にバッテリポストを挿入する方向と、ボルトの挿入方向とが同一方向であるため、取付け作業性に優れている。また、ボルトを緩めることで、電極保持部を拡径できるので、取外し作業が容易になり、取外し作業においてバッテリポストが削れて傷づくのを防止することができる。また、これによると、ボルトを進移動させた場合に、締付部側当接部の締付片をナット側当接部の内面に摺接させて各締付部を接近させることができる。また、ボルトを退移動させた場合に、締付部側当接部の離隔片をナット側当接部の外面に摺接させて各締付部を離間させることができる。
【００１３】
また、請求項２に記載のバッテリターミナルは、上記の発明において、前記ボルトは、前記一対の締付部の間で軸中心に回転可能となるように前記ターミナル本体に取付けられることを特徴とする。
【００１４】
これによると、ボルトがターミナル本体に取付けられているため、組み付け作業が容易である。また、ボルトの退移動により一対の締付部をナットから離隔させることができるので、取外し作業が容易である。
【００１７】
また、請求項３に記載のバッテリターミナルは、上記の発明において、前記ナットは、前記電極保持部の軸方向となる上下方向において前記一対の締付部の下方に配置され、前記一対の締付部は、互いに対向する一対のボルト当接部を有し、前記締付片は、前記一対のボルト当接部の対向内側端から下方へ突出し、前記離隔片は、前記一対のボルト当接部の対向外側端から下方へ突出することを特徴とする。
【００１８】
これによると、ボルト当接部によって締付部とボルトとの接触面積を広くし、ボルトの軸力を締付片と離隔片とに適切に作用させることができる。
【発明の効果】
【００１９】
本発明に係るバッテリターミナルによれば、部品点数を増加することなく、電極保持部を縮径および拡径することができる。
【図面の簡単な説明】
【００２０】
【図１】本発明に係るバッテリターミナルの斜視図。
【図２】図１に示すバッテリターミナルの分解斜視図。
【図３】図１に示すターミナル本体およびボルトの側面図。
【図４】図１に示すバッテリターミナルの正面図。
【図５】バッテリターミナルにおいてボルトを締付けた状態を示す正面図。
【図６】バッテリターミナルにおいてボルトを緩めた状態を示す正面図。
【図７】バッテリターミナルの他の例を示す分解斜視図。
【発明を実施するための形態】
【００２１】
図１は、本発明に係るバッテリターミナル１の斜視図であり、図２は、バッテリターミナル１の分解斜視図である。バッテリターミナル１は、バッテリポスト２に取付けられるターミナル本体１０と、ボルト（第１締結具）３０と、ナット（第２締結具）４０と、を備える。
【００２２】
ターミナル本体１０は、バッテリポスト２に取付けられる電極保持部１１と、電極保持部１１から延出する一対の締付部１２とを有する。
【００２３】
電極保持部１１は、断面が略Ｃ字状である有端略環状であって、バッテリポスト２の外周を取り囲むように筒状に延びている。
【００２４】
一対の締付部１２は、電極保持部１１の両端（略Ｃ字状の断面における両開放端）のそれぞれから径方向外方へ延出しており、電極保持部１１の軸方向（すなわち、バッテリポストの軸方向）となる高さ方向（上下方向）に直交する幅方向において互いに対向している。各締付部１２は、電極保持部１１と連なる連結部２１と、連結部２１の先端に設けられるボルト当接部２２と、ボルト当接部２２と連なって形成される締付部側当接部２５とを有する。
【００２５】
図２及び図３に示すように、各連結部２１は、板状であって、電極保持部１１の各開放端から締付部１２の延出方向（高さ方向および幅方向と直交する奥行方向）へ延びており、電極保持部１１の上端から径外方へ延出する上端縁２１ａと、電極保持部１１の下端から該上端縁２１ａの先端へ向かって傾斜して延びる下端縁２１ｂとによって形成された略三角形状をなす。
【００２６】
ボルト当接部２２は、連結部２１の先端に形成されており、高さ方向に対して直交する方向へ広がる平板状をなす。各ボルト当接部２２は、幅方向において並設されており、奥行方向へ延びる内端（対向内側端）２２ａおよび外端（対向外側端）２２ｂを有する。各ボルト当接部２２の内端２２ａであって幅方向において互いに対向する面には、後述する連動部材３５を嵌入するための凹溝２７が形成されている。
【００２７】
締付部側当接部２５は、後述するナット側当接部４２とともに、締付部開閉構造を構成する部位である。締付部側当接部２５は、締付片２３と、離隔片２４とを有する。
【００２８】
締付片２３は、各締付部１２を閉方向、すなわち、互いに接近する方向へ移動させるための部位である。締付片２３は、ボルト当接部２２の内端２２ａから下方へ突出し、かつ内端２２aに沿って奥行方向へ延びる板状をなす。
【００２９】
離隔片２４は、各締付部１２を開方向、すなわち、互いに離間する方向へ移動させるための部位である。離隔片２４は、ボルト当接部２２の外端２２ｂから下方へ突出し、かつ外端２２ｂに沿って奥行方向へ延びる板状をなす。各離隔片２４の下端２４ａは、幅方向内側に向かって屈曲している。
【００３０】
ボルト３０は、一対の締付部２０の間に挿入されて、ナット４０と螺合するものである。本実施形態においてボルト３０は、頭部３１の下方に円形のフランジ３２を有するフランジ付ボルトである。ボルト３０の周面であって、フランジ３２と螺子部（締結軸）３３との間には、周方向に沿って凹溝３４が形成されている。
【００３１】
ボルト３０は、連動部材３５を介してターミナル本体１０の一対の締付部２０に取付けられる。本実施形態において連動部材３５は、Ｃ字状のリング部材であり、該リング部材は、ボルト３０の凹溝３４と、各締付部１２の凹溝２７との間に嵌装される。これにより、ボルト３０と各締付部１２とは、上下方向における相対移動が規制される。また、該リング部材は、各締付部１２の接近にともなって縮径し、各締付部１２が離間すると自身の復元力により拡径する。
【００３２】
ナット４０は、雌螺子部４１と、ナット側当接部（締結具側当接部）４２とを有する。雌螺子部４１は、柱状であって、その軸心が位置する中央部に挿入孔（螺子孔）を有する。
【００３３】
ナット側当接部４２は、挿入孔を囲むナット４０の両側に対を成すように形成されており、両側から上方（ボルト３０を挿入する側）に向かってテーパ状に広がる内面４２ａおよび外面４２ｂを有する。本実施形態において、雌螺子部４１は四角柱状であり、一対のナット側当接部４２は、雌螺子部４１の周面において互いに対向する両側面からテーパ状に広がっている。
【００３４】
図１、図３および図４に示すように、ナット側当接部４２と各締付部１２のボルト当接部２２とを上下方向において対向させた状態において、各締付片２３は、ナット側当接部４２の内面４２ａと摺接可能であり、各離隔片２４は、ナット側当接部４２の外面４２ｂと摺接可能である。なお、図３では、ナット４０を仮想線で示している。特に、ナット側当接部４２の内面４２ａおよび外面４２ｂは、各締付片２３の下端２３ａが奥行方向の全域に亘って内面４２ａと摺接可能となり、各離隔片２４の下端２４ａが奥行方向の全域に亘って外面４２ｂと摺接可能となるような表面形状であることが好ましい。
【００３５】
次に、上述したバッテリターミナル１のバッテリポスト２への取付け工程を説明する。
【００３６】
まず、ナット４０のナット側当接部４２が各締付部１２と対向するように、ナット４０を一対の締付部１２の下方へ配置した状態で、ターミナル本体１０の電極保持部１１をターミナルポスト２に取付ける（図４参照）。このとき、ボルト３０は、一部がナット４０の雌螺子部４１に螺合されているが、一対の締付部１２とナット４０とは互いに離間している。
【００３７】
ボルト３０を締付けて相対的に進移動させる（下方へ移動させる）と、ボルト３０の移動に連動して一対の締付部１２が下方へ移動する（図５参照）。すると、ナット側当接部４２の内面４２ａに、締付部側当接部２５の締付片２３が当接し、さらにボルト３０を締付けると、締付片２３は、内面４２ａに沿って摺接しながら下方へ移動する。このとき、各締付片２３は、ナット側当接部４２の内面４２ａによって互いに接近する方向へ押圧される。
【００３８】
これにより、一対の締付部１２は互いに接近するように変位し、電極保持部１１の両端の間の距離が縮まって、電極保持部１１が縮径し、バッテリポスト２に密着する。
【００３９】
次に、バッテリターミナル１の取外し工程を説明する。
【００４０】
図５に示す締付状態にあるボルト３０を緩めて退移動させる（上方へ移動させる）と、ボルト３０の移動に連動して一対の締付部１２が上方へ移動する。すると、ナット側当接部４２の外面４２ｂに当接した各締付部１２の離隔片２４は、外面４２ｂに沿って摺接しながら上方へ移動する（図６参照）。このとき、各離隔片２４は、ナット側当接部４２の外面４２ｂによって互いに離間する方向へ押圧され、これにより、一対の締付部１２は互いに離間するように変位する。その結果、電極保持部１１の両端の間の距離が広がり、電極保持部１１が拡径する。
【００４１】
なお、本実施形態において各締付部１２は、ナット側当接部４２と離隔片２４とによる締付部開構造（電極保持部１１を拡径させる構造）に加え、連動部材３５の復元力によって互いに離間するように変位する。
【００４２】
上述のとおり、本実施形態のバッテリターミナル１は、締付部側当接部２５とナット側当接部４２とによる締付部開閉構造によって、一対の締付部１２を互いに接近、離間させて電極保持部１１を強制的に縮径、拡径させることができる。
【００４３】
従来のバッテリターミナルであって、締付部開閉構造のうち、締付部閉構造（電極保持部を縮径させる構造）のみを有するバッテリターミナルでは、電極保持部の縮径状態が維持されると、経時劣化によって各締付部の復元性が低下し、ボルトを緩めた際に、各締付部が離間せず、バッテリポストから電極保持部を容易に外すことができない。このような状態において、作業者が無理やり電極保持部を取り外そうとすると、バッテリポストが傷ついて摩耗が生じてしまう。
【００４４】
本実施形態のバッテリターミナル１では、ボルト３０を緩めた際に、締付部側当接部２５の離隔片２４をナット側当接部４２の外面４２ｂに沿って移動させることで、各締付部１２を離間させることができる。そのため、バッテリポスト２を傷つけることなく、バッテリポスト２から電極保持部１１を容易に取り外すことができる。
【００４５】
また、本実施形態のバッテリターミナル１において、締付部開閉構造は、各締付部１２とナット４０とにおいて、互いに対向する部分にそれぞれ形成されており、ターミナル本体１０、ボルト３０およびナット４０以外に、各締付部１２を接近、離間させるための複雑な形状を有する部材を別途必要としない。そのため、本実施形態のバッテリターミナル１は、部品点数が少なく、取付け作業が容易である。
【００４６】
さらに、ボルト３０は、一対の締付部１２の間で軸中心に回転可能となるように、連動部材３５を介してターミナル本体１０に取付けられており、ボルト３０の一部をナット４０に螺合した状態で、バッテリポスト２に電極保持部１１を嵌装させることができるため、組み付けが容易である。また、ボルト３０を緩めた場合には、ボルト３０とともに一対の締付部１２をナット４０から離間させることができるので、取外し作業やナット４０の交換を容易に行うことができる。
【００４７】
また、各締付部１２は、ボルト３０と広面積で接触可能なボルト当接部２２を有しているため、ボルト３０の軸力を締付片２３と離隔片２４とに適切に作用させ、各締付部１２を接近、離間させることができる。さらに、締付片２３と離隔片２４とは奥行方向へ延びており、その下端２３ａ，２４ａは、奥行方向の全域に亘ってナット側当接部４２に当接されるので、締付部側当接部２５とナット側当接部４２との接触面積が広くなり、ボルト３０の軸力を締付部開閉構造へ効率よく伝達することができる。
【００４８】
また、ボルト３０の締付方向（ターミナル本体１０に対するボルト３０の進退移動方向）が、バッテリポスト２の軸方向（電極保持部１１の軸方向）と同一方向となっているため、ボルト３０の締緩作業がしやすく、作業性に優れている。バッテリポストの軸方向に対して直交する方向（幅方向）からボルトを締結する場合、締付部の閉構造を簡易にすることができるが、ボルトの締緩作業の際に、電動工具等がバッテリポストや周辺部品と干渉してしまい、作業性が低下してしまう。また、バッテリポストの軸方向に対して傾斜する方向からボルトを締結する場合、ボルトの締付力（軸力）によって電極保持部を縮径するための十分な固縛力を得ることが難しくなり、ボルトが緩みやすくなる。本実施形態のバッテリターミナル１では、かかる事態をなくしてボルト３０の緩みを防止することができるとともに、ボルト３０の締緩作業がしやすく、作業性に優れている。
【００４９】
なお、本発明は上述した実施形態に限定されるものではなく、発明の趣旨を逸脱しない範囲で種々の変更が可能である。例えば、締付片２３とナット側当接部４２の内面４２ａとの接触面積を広くするために、締付片２３の下端２３ａの表面を内面４２ａと密接可能な傾斜面状にしてもよい。
【００５０】
また、図７に示すように、バッテリターミナル１は、ボルト３０に代えて、締結軸５１とレバー５２（締結軸５１を軸方向へ移動させる移動手段）とを有する第１連結具５０を備える構成であってもよい。図７に示す例において、第１連結具５０は、カム機構を有するカムクランプであって、締結軸５１と、締結軸５１の上端に基端部が連結されたレバー５２と、締結軸５１の上部に取付けられ、レバー５２の基端部と当接した状態で締結軸５１に沿って移動可能なプレート５３と、プレート５３の下方に位置して締結軸５１に螺合された、オプションとしての調整螺子５４とを有している。レバー５２の基端部には、カムシャフト５６と、カム５７とからなるカム機構が設けられている。なお、図７において第１連結具５０と係合する第２連結具４０は、図１〜６に示すナット４０と同様の構成であるため、ここでは説明を省略する。第１締結具５０は、締結軸５１が第２連結具４０の挿入孔に係合した状態において、レバー５２を下方へ移動させる（プレート５３を押し下げる）ことにより、各締付部１２を接近させることができ、レバー５３を上方へ移動させる（図７において仮想線で示す状態にする）ことにより、各締付部１２を離間させることができる。
【００５１】
以上、本発明者によってなされた発明を適用した実施形態について説明したが、この実施形態による本発明の開示の一部をなす論述および図面により、本発明が限定されることはない。すなわち、この実施形態に基づいて当業者等によりなされる他の実施形態、実施例および運用技術等は全て本発明の範疇に含まれることは勿論であることを付け加えておく。
【符号の説明】
【００５２】
１      バッテリターミナル
２      バッテリポスト
１０    ターミナル本体
１１    電極保持部
１２    締付部
２２    ボルト当接部
２３    締付片
２４    離隔片
２５    締付部側当接部
３０    ボルト（第１締結具）
４０    ナット（第２締結具）
４１    雌螺子部
４２    ナット側当接部（締結具側当接部）
４２ａ  ナット側当接部の内面
４２ｂ  ナット側当接部の外面
５０    第１締結具
【図１】
0006596281.tif 000002
【図２】
0006596281.tif 000003
【図３】
0006596281.tif 000004
【図４】
0006596281.tif 000005
【図５】
0006596281.tif 000006
【図６】
0006596281.tif 000007
【図７】
0006596281.tif 000008